(57)【要約】      （修正有）【課題】電気ヒータは熱効率が悪く、灯油ファンヒータに比較して、運転経費が高くつき、一般には普及されていなかったが、今回、灯油ファンヒータの特徴を電気ヒータに取入れ、高効率になり、且灯油ファンヒータより運転経費の安価な電熱ファンヒータを提供する。【解決手段】遠赤外線カーボンヒータ６は鏡面反射板３の谷部に固定する。鏡面反射板３の側面に側板５を取付け、前フレーム１に固定する。後フレーム２で中央背部に軸流ファン１０を保持したモータ９を取付ける。鏡面反射板３の裏面に発生する少量のロス熱は、軸流ファンによる捕捉と合わせて、送風循環する構成になっているので、遠赤外線カーボンヒータ６前面への投射熱量は増大する。【選択図】図１
2005249370.tif 000002
【特許請求の範囲】
【請求項１】
前フレームの前面に遠赤外線ヒータを複数個、構成し、該、ヒータは山部と谷部を交互に構成した鏡面反射板の谷部に設け、該、鏡面反射板の前面となる、前記、遠赤外線ヒータを設ける谷部は鏡面加工を施し、鏡面反射板の側部は、鏡面反射板を夾持する如く、両側に側板を構成し、鏡面反射板の山部には吹出孔を設けて、後フレームの背面中央には、外気吸入口を有するモータ保持枠を介して、モータと軸流ファンを設け、遠赤外線ヒータの加熱とモータの回転によって、鏡面反射板より該、裏面に逃げるロス熱を、軸流ファンにて吸気された外気で捕捉し、加温され、有効な熱源の流体となって、鏡面反射板の吹出孔より暖房器具の前面へ吐出され、遠赤外線ヒータの主力熱源と相乗し、有効な循環、昇温を行なわしめる構成としたことを特徴とする電熱ファンヒータ。
【発明の詳細な説明】
【技術分野】
【０００１】  本発明は従来の電気ヒータに、灯油ファンヒータのファン効果を加味した電熱ファンヒータに関する。
【背景技術】
【０００２】  従来から使用されている電力を直接に熱に変換する暖房器具としては、電気ストーブと云われている電気ヒータがあり、この構成は赤熱した金属やセラミック等の発熱体のヒータを、背面の反射板で熱を反射させ、前面を加温するものと、炭素繊維やセラミックパネル等の面状発熱体に通電、加熱し、面状温度を高温にし、その輻射熱で暖房器具のすぐ前面を加温する構成のものがある。【０００３】  又、石油を使う暖房器具としては、灯油を繊維芯にて浸透させて直接燃焼させ、赤熱した芯にて、金属発熱体を更に赤熱の上、背面の反射板で前面に反射して、加温する灯油ストーブと、燃料の灯油を気化し、空気と混合して燃焼するガス化として、これに点火することによって、暖房器具内で、空気を加熱させて、背部の空気取入口を介して、設けられたファンにより、器具前面より温風を吹出させ、部屋内を循環、加温する灯油ファンヒータとがある。
【発明の開示】
【発明が解決しようとする課題】
【０００４】  以上に示した従来の暖房器具の構成において、解決しようとする課題を説明する。
まず、電力を直接通電し、発熱体を加熱する電気ヒータによる構成は、暖房器具の前面、５０ｃｍ程度の部分加温するのが精一杯で、従って、その使用方法は人間が前面に位置して暖をとるか、又職場では机の下に置いて椅子に座って前面を加温するとかして使用していた。故に、それ以上の広範囲を賄おうとするには、器具が大型になり、消費電力も１０００Ｗ、１２５０Ｗと増加し、長時間の使用にあっては、経済的な負担も極めて大きくなる。更に一般家庭における屋内配線で、これらの電力を常時使用するのは、火災の危険を危惧され、又、近年の各種形状の発熱体が登場して、発熱効果の著しい遠赤外線ヒータをもってしても、この輻射熱だけでは部屋全体を温めるに問題がある。【０００５】  又、遠赤外線を放出するとされる、新しい発熱体としての電気ヒータにおいて、面状発熱体ユニットの遠赤外線構造は速暖機能に乏しく、その上、この面状発熱体の前面に出る熱量は、遠赤外線を増幅させる構成としているが、前面と同時に５０％の熱量が発生する後面には、断熱板は設けられているが、その熱量をＵターンさせる構成がないのが一般的で、そのために熱が後方へ逃げるロスが目立っている。【０００６】  このように、電気ヒータとしての暖房器具にあっても、又、新しい発熱体としての面状発熱体にあっても、後方へ逃げるロス熱量の捕捉する構造は、構成されておらないのが従来商品の難点である。【０００７】  次に燃焼される燃料たる灯油を用いた灯油ストーブ、灯油ファンヒータでは、燃焼によって酸素（Ｏ２）を消費し、そして炭酸ガス（ＣＯ２）や一酸化炭素ガス（ＣＯ）を発生させ、又、最近の問題として、石油を根源とする揮発性有機化合物が、不完全燃焼によって発生し易く、室内の空気を著しく汚染し、健康上、大きな問題を提供している。その上炭酸ガス濃度の増加は地球温暖化現象の悪化に繋がっている。
又、石油は地球に埋蔵されている有限資源であり、暖房器具に灯油を使用しなくなれば、この資源を他方面に利用でき、有意義な活性化に役立つものである。又、これらの灯油燃料は、発注のタイミングずれから保管場所の確保や、補給の面倒さ、使用場所の汚れ等、維持管理上、多くの難点が挙げられる。【０００８】  本発明は、このような従来の商品が有している問題を解決しようとするのみでなく、もっとも大きな特徴は、電熱ファンヒータとして、ファンを有効に付帯させた構成で、従来の電気ヒータの欠点と合わせて持つ、高価な運転経費を低減することを目的に、更に灯油ファンヒータと同様な加温性能を保つと共に、この灯油ファンヒータよりも安価な運転経費を実現したものである。
【課題を解決するための手段】
【０００９】  本発明は上記課題を克服し、達成するため第１の課題解決手段は、遠赤外線を豊富に放出する、棒状カーボンヒータや棒状セラミックヒータ等を熱源体とする電気ヒータの構成に準じ、この熱源体の背面に位置する鏡面反射板の裏面より、後部に放射されるロス熱源となっている高温のエネルギーを、本体の背部に設置したモータと一体の軸流ファンによる気体の流体により捕捉し、吸入した外気と混合して加温すると共に、鏡面反射板の夾間部、すなわち、前面より見れば山部に設けた吹出孔より吐出させ、熱源体により加温された前面部の高温熱エネルギーを流体として動かし、共に相乗して更に加温した流体として、室内を迅速に循環し、昇温させる構成とした。【００１０】  又、第２の課題たる運転経費の低減化は次の手段による。
熱源体は２又は３の熱源として構成され、瞬時に暖める速暖機能を持っている特徴により、今、３つの熱源で構成したとして、第１段階は全熱源に通電し、速暖機能を１００％利用し、１．５時間の通電後、２つの熱源に切替え、通常運転として３．５時間運転後、１つの熱源とした弱運転で残り３時間を運転する如く、全運転時間は８時間を例として構成した。
この運転構成は、速暖機能を保持し、且、鏡面反射板の裏面のロス熱源を、ファンを構成したことにより有効に徹底して利用できたことによる。
【発明の効果】
【００１１】  上述したように本発明構成は、図１及び図２に示すが、この構成によって従来の電気ヒータに比較し、大幅に電力消費を節減できた。更に速暖性とロス熱の回収効果により、灯油ファンヒータの運転経費よりも低い運転費で収めることもできた。
【発明を実施するための最良の形態】
【００１２】  以下、本発明の実施形態を図１、図２に基づいて説明する。【００１３】  図において、１は前フレーム、２は後フレームで、３は鏡面反射板で、４にクロームメッキ等の鏡面加工を施す。５は鏡面反射板の側板、６は遠赤外線カーボンヒータで棒状を示す。７，７’は吹出し孔、８モータ保持枠、９モータは８モータ保持枠に取付ける。１０は軸流ファン、１１は吸気孔でモータ保持枠に設ける。１２は保護綱で、１３はカーボンヒータの運転切替スイッチ、１４はモータ運転スイッチ、１５は運転表示灯で、１６は支持脚である。
６の遠赤外線カーボンヒータは３５０Ｗ、２５０Ｗ、２５０Ｗの３本とし、合計８５０Ｗにて構成させる。【００１４】  以下に上記構成の動作を説明する。
図１において、６遠赤外線カーボンヒータは３鏡面反射板の谷部に固定する。３鏡面反射板の側面に５側板を取付け、１前フレームに固定する。２は後フレームで中央背部に１０軸流ファンを保持した９モータを取付ける。
次に図２にある１４モータ運転スイッチを入にすれば、９モータは回転し１０軸流ファンは１１吸気孔より外気を吸引する。１３運転切替スイッチを強にすると、３つの６遠赤外線カーボンヒータが通電し、８５０Ｗの速暖運転になる。このとき遠赤外線熱が直接、前面に照射されると共に、６のカーボンヒータの横から出る熱エネルギーは、３鏡面反射板の４鏡面加工面で前面に反射する。この際、３鏡面反射板は加熱されるが、１０軸流ファンにより吸気した外気は３鏡面反射板の裏面で、この加熱された熱を奪い、加温された流体となって、７、７′の吹出孔から前面に勢いよく排出され、６遠赤外線カーボンヒータの熱エネルギーと相乗して、室内を昇温、循環する。６遠赤外線カーボンヒータは速暖機能があるので、前記、循環と合わせて１．５時間で６〜７℃室温は上昇する。（８畳部屋の場合）【００１５】  次に１３の運転切替スイッチを、中にし通常運転にして、６遠赤外線カーボンヒータ、２５０Ｗ×２＝５００Ｗの運転を３．５時間実施し、室温が８°〜１０℃上昇した時に、１３の運転切替スイッチを３５０Ｗの６遠赤外線カーボンヒータ、１本の弱運転で３時間、室温維持運転にする。【００１６】  以上のように、３鏡面反射板の裏面に発生する少量のロス熱は、軸流ファンによる捕捉と合わせて、送風循環する構成になっているので、６遠赤外線カーボンヒータ前面への投射熱量は増大し、この効果によって、従来の電気ヒータや灯油ファンヒータと比較し、低い消費電力で製品を構成することが可能となった。【００１７】  次に上記に示した効果を数値で比較する。
従来の電気ヒータ（面状発熱体と遠赤外線カーボンヒータ構成のもの）にあっては▲１▼にて計算されるＷ数はヒータに発生する実際の熱量で、後部へのロス熱として外部へ逃げる熱量は、全熱量の２５％とみなされる。
▲１▼この電気ヒータをカタログ仕様の下記数値を基に計算すれば、１日に８時間使用した時とあるので（図３参照）
2005249370.tif 000003
【００１８】▲２▼灯油ファンヒータ（８畳形）（図４参照）の場合
・４２時間使用（１日８時間×５日＋２時間）して灯油９．５ｌ消費する。
灯油価格￥５３／ｌ（配達時）であるので、
故に９．５／４２＝０．２２６１９ｌ／Ｈｒ……１時間当り灯油消費量
０．２２６１９×￥５３＝￥１１．９８８０７／１Ｈｒになる。
次に運転に必要な電力は、
2005249370.tif 000004
【００１９】▲３▼本発明、電熱ファンヒータを１日８時間使用した時、電気ヒータで外部へ消えるロス熱は２５％とみなしているが、本発明はファンにて、この数値の半分を回収し、残り半分がロス熱と推定できるので、速暖運転８５０Ｗ、通常運転５００Ｗ、弱運転３５０Ｗの構成設定は可能である。従って、
2005249370.tif 000005
【００２０】  次に上記▲２▼及び▲３▼の器具中央、中心水平位置、前面３０ｃｍにおける温度を測定。
2005249370.tif 000006
【００２１】  以上の数値より電熱ファンヒータの運転経費がもっとも安価で、器具前面温度も、２０分経過後は電熱ファンヒータと灯油ファンヒータは殆ど同一である。
【図面の簡単な説明】
【００２２】
【図１】本発明の実施形態を示す電熱ファンヒータ縦面図（図２のＡ−Ａ′断面）
【図２】同電熱ファンヒータの正面図
【図３】従来構造の電気ヒータ外観図
【図４】同灯油ファンヒータ外観図
【符号の説明】
【００２３】１  前フレーム
２  後フレーム
３  鏡面反射板
４  鏡面加工部
５  鏡面反射板、側板
６  遠赤外線カーボンヒータ
７，７′  吹出孔
８  モータ保持枠
９  モータ
１０  軸流ファン
１１  吸気孔
１２  保護綱
１３  カーボンヒータ運転切替スイッチ
１４  モータ運転スイッチ
１５  運転表示灯
【図１】
2005249370.tif 000007
【図２】
2005249370.tif 000008
【図３】
2005249370.tif 000009
【図４】
2005249370.tif 000010